(57)【要約】【課題】シャッタ羽根の動作時に負荷となることなく、不用意にシャッタ羽根が移動することを防止でき、かつ、小型のシャッタ装置、レンズ鏡筒、カメラを提供する。【解決手段】光束を遮る閉位置と光束が通過可能な開位置との間を移動するシャッタ羽根７と、撮影動作中のシャッタ羽根７が動作する直前に動作する絞り羽根４とを備え、絞り羽根４を駆動する絞り駆動リング２の突起部２ｃとシャッタ羽根７を駆動する駆動レバー１０との関係により、シャッタ羽根７の移動を制限する。【選択図】図１
2008051989.tif 000002
【特許請求の範囲】
【請求項１】
光束を遮る閉位置と前記光束が通過可能な開位置との間を移動するシャッタ羽根と、
撮影動作中の前記シャッタ羽根が動作する直前に動作する被駆動部材と、
を備え、
前記被駆動部材又は前記被駆動部材を駆動する駆動部材により、前記シャッタ羽根の移動を制限すること、
を特徴とするシャッタ装置。
【請求項２】
請求項１に記載のシャッタ装置において、
前記被駆動部材又は前記被駆動部材を駆動する駆動部材は、前記シャッタ羽根の前記閉位置への移動を制限すること、
を特徴とするシャッタ装置。
【請求項３】
請求項１又は請求項２に記載のシャッタ装置において、
前記被駆動部材は、前記光束が通過する位置の開口径を変化させる虹彩絞りの絞り羽根であること、
を特徴とするシャッタ装置。
【請求項４】
請求項３に記載のシャッタ装置において、
前記駆動部材は、前記絞り羽根の駆動をするときに前記光束の光軸まわりを回転する円環状のリング部材であり、
前記リング部材は、前記シャッタ羽根の前記閉位置への移動を制限する制限位置と前記シャッタ羽根の前記閉位置への移動を制限しない解除位置との間を回転移動すること、
を特徴とするシャッタ装置。
【請求項５】
請求項４に記載のシャッタ装置において、
前記シャッタ羽根を駆動するシャッタ羽根駆動部材を有し、
前記リング部材は、前記シャッタ羽根駆動部材の移動を制限することにより前記シャッタ羽根の前記閉位置への移動を制限すること、
を特徴とするシャッタ装置。
【請求項６】
請求項５に記載のシャッタ装置において、
前記シャッタ羽根駆動部材は、前記シャッタ羽根を駆動するときに回転するレバー状の部材であり、
前記リング部材は、外周縁部分に外径方向に突出した突起部を有し、
前記リング部材が前記制限位置にあるときには、前記突起部に前記シャッタ羽根駆動部材が当接することにより前記シャッタ羽根駆動部材の回転が制限され、
前記リング部材が前記解除位置にあるときには、前記突起部に前記シャッタ羽根駆動部材が当接しないことにより前記シャッタ羽根駆動部材の回転が可能であること、
を特徴とするシャッタ装置。
【請求項７】
請求項１から請求項６までのいずれか１項に記載のシャッタ装置において、
前記シャッタ羽根の移動の制限の解除は、第１のレリーズ操作に応じて行われ、
第２のレリーズ操作に応じて前記シャッタ羽根の移動が行われること、
を特徴とするシャッタ装置。
【請求項８】
請求項７に記載のシャッタ装置において、
前記第１のレリーズ操作は、レリーズボタンの半押し操作であり、
前記第２のレリーズ操作は、レリーズボタンの全押し操作であること、
を特徴とするシャッタ装置。
【請求項９】
請求項３から請求項７までのいずれか１項に記載のシャッタ装置において、
前記絞り羽根が光学開放絞り径と等しい開口径を形成したとき、又は、前記絞り羽根が前記光学開放絞り径よりもわずかに小さい開口径を形成したときに、前記シャッタ羽根の移動の制限が解除されること、
を特徴とするシャッタ装置。
【請求項１０】
請求項１から請求項８までのいずれか１項に記載のシャッタ装置を備えたレンズ鏡筒。
【請求項１１】
請求項１から請求項８までのいずれか１項に記載のシャッタ装置を備えたカメラ。
【発明の詳細な説明】
【技術分野】
【０００１】
本発明は、デジタルカメラ等のシャッタ装置、レンズ鏡筒、カメラに関するものである。
【背景技術】
【０００２】
シャッタ羽根の駆動を電磁アクチュエータにより行うシャッタ装置が特許文献１に記載されている。
しかし、特許文献１に記載のシャッタ装置では、電磁アクチュエータによりシャッタ羽根を開いた状態又は閉じた状態に保持しているので、衝撃が加わると、シャッタ羽根が動いてしまうおそれがあった。また、シャッタ羽根の保持力を強くするためには、強力な磁石が必要となり、電磁アクチュエータが大型化してしまうという問題があった。
【０００３】
一方、シャッタ羽根をばね付勢力によって保持する技術が知られている。しかし、ばね付勢力をシャッタ羽根に加えておくと、シャッタ羽根を動作させるときに負荷となり、シャッタ羽根の移動速度が遅くなるという問題があった。
【特許文献１】特開２００５−１８９６５６号公報
【発明の開示】
【発明が解決しようとする課題】
【０００４】
本発明の課題は、シャッタ羽根の動作時に負荷となることなく、不用意にシャッタ羽根が移動することを防止でき、かつ、小型のシャッタ装置、レンズ鏡筒、カメラを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、光束を遮る閉位置と前記光束が通過可能な開位置との間を移動するシャッタ羽根（７）と、撮影動作中の前記シャッタ羽根が動作する直前に動作する被駆動部材（４）と、を備え、前記被駆動部材又は前記被駆動部材を駆動する駆動部材（２）により、前記シャッタ羽根の移動を制限すること、を特徴とするシャッタ装置である。
請求項２の発明は、請求項１に記載のシャッタ装置において、前記被駆動部材（４）又は前記被駆動部材を駆動する駆動部材（２）は、前記シャッタ羽根（７）の前記閉位置への移動を制限すること、を特徴とするシャッタ装置である。
請求項３の発明は、請求項１又は請求項２に記載のシャッタ装置において、前記被駆動部材（４）は、前記光束が通過する位置の開口径を変化させる虹彩絞りの絞り羽根であること、を特徴とするシャッタ装置である。
請求項４の発明は、請求項３に記載のシャッタ装置において、前記駆動部材（２）は、前記絞り羽根（４）の駆動をするときに前記光束の光軸まわりを回転する円環状のリング部材であり、前記リング部材は、前記シャッタ羽根（７）の前記閉位置への移動を制限する制限位置と前記シャッタ羽根の前記閉位置への移動を制限しない解除位置との間を回転移動すること、を特徴とするシャッタ装置である。
請求項５の発明は、請求項４に記載のシャッタ装置において、前記シャッタ羽根（７）を駆動するシャッタ羽根駆動部材（１０）を有し、前記リング部材は、前記シャッタ羽根駆動部材の移動を制限することにより前記シャッタ羽根の前記閉位置への移動を制限すること、を特徴とするシャッタ装置である。
請求項６の発明は、請求項５に記載のシャッタ装置において、前記シャッタ羽根駆動部材（１０）は、前記シャッタ羽根（７）を駆動するときに回転するレバー状の部材であり、前記リング部材（２）は、外周縁部分に外径方向に突出した突起部（２ｃ）を有し、前記リング部材が前記制限位置にあるときには、前記突起部に前記シャッタ羽根駆動部材が当接することにより前記シャッタ羽根駆動部材の回転が制限され、前記リング部材が前記解除位置にあるときには、前記突起部に前記シャッタ羽根駆動部材が当接しないことにより前記シャッタ羽根駆動部材の回転が可能であること、を特徴とするシャッタ装置である。
請求項７の発明は、請求項１から請求項６までのいずれか１項に記載のシャッタ装置において、前記シャッタ羽根（７）の移動の制限の解除は、第１のレリーズ操作（Ｓ１：ＯＮ）に応じて行われ、第２のレリーズ操作（Ｓ２：ＯＮ）に応じて前記シャッタ羽根の移動が行われること、を特徴とするシャッタ装置である。
請求項８の発明は、請求項７に記載のシャッタ装置において、前記第１のレリーズ操作は、レリーズボタンの半押し操作（Ｓ１：ＯＮ）であり、前記第２のレリーズ操作は、レリーズボタンの全押し操作（Ｓ２：ＯＮ）であること、を特徴とするシャッタ装置である。
請求項９の発明は、請求項３から請求項７までのいずれか１項に記載のシャッタ装置において、前記絞り羽根（７）が光学開放絞り径（Ｄ）と等しい開口径を形成したとき、又は、前記絞り羽根が前記光学開放絞り径よりもわずかに小さい開口径を形成したときに、前記シャッタ羽根の移動の制限が解除されること、を特徴とするシャッタ装置である。
請求項１０の発明は、請求項１から請求項８までのいずれか１項に記載のシャッタ装置を備えたレンズ鏡筒である。
請求項１１の発明は、請求項１から請求項８までのいずれか１項に記載のシャッタ装置を備えたカメラである。
なお、符号を付した構成は適宜改良してもよい。また、少なくとも一部を他の構成物に代替してもよく、その配置について特に限定のない構成要件は、実施形態で開示した配置に限らない。
【発明の効果】
【０００６】
本発明によれば、撮影動作中のシャッタ羽根が動作する直前に動作する被駆動部材又は被駆動部材を駆動する駆動部材により、シャッタ羽根の移動を制限するので、シャッタ羽根が動作する直前に、シャッタ羽根の移動制限を解除でき、シャッタ羽根の動作時に負荷となることなく、不用意にシャッタ羽根が移動することを防止でき、かつ、小型の、レンズ鏡筒、カメラを提供できる。
【発明を実施するための最良の形態】
【０００７】
以下、図面等を参照しながら、本発明の実施の形態について、更に詳しく説明する。
【０００８】
（実施形態）
図１は、本実施形態のシャッタ装置がシャッタ羽根の移動を制限し、シャッタ羽根が開位置にある状態を示す図である。
図２は、本実施形態のシャッタ装置がシャッタ羽根の移動の制限を解除し、シャッタ羽根が閉位置にある状態を示す図である。
図３は、本実施形態のシャッタ装置がシャッタ羽根の移動を制限し、シャッタ羽根が開位置にある状態を簡略化して示す図である。
図４は、本実施形態のシャッタ装置がシャッタ羽根の移動の制限を解除し、シャッタ羽根が閉位置にある状態を簡略化して示す図である。
なお、図３及び図４では、それぞれ、図１及び図２から、絞り羽根４を１枚のみ残して他の５枚の絞り羽根４を省略して示している。
また、図１〜図４は、不図示の撮影光学系の光軸方向から見た図であり、本実施形態のシャッタ装置は、これらの図に示した光軸に直交する方向での動作のみにより説明可能な形態であるので、以下の回転動作等の説明では、回転軸の方向等を特に示さず、これらの図中の平面内での動作として説明する。
本実施形態のシャッタ装置は、ギヤ１，絞り駆動リング２，ベース部３，絞り羽根４，シャッタ羽根７，駆動レバー１０を備え、不図示のデジタルカメラのレンズ鏡筒内に設けられている。
【０００９】
ギヤ１は、絞り駆動リング２のギヤ部２ａと噛み合い、不図示のモータから駆動力を得て絞り駆動リング２に回転力を伝える。
絞り駆動リング２は、中央に開口部を有した円環状の部材であり、ベース部３に対して開口部を中心に回転可能に設けられている。絞り駆動リング２は、外周縁部分にギヤ部２ａを有している。このギヤ部２ａは、絞りリング２の回転駆動される角度に対応した範囲にのみ設けられている。絞り駆動リング２には、カム溝２ｂが周方向に略等間隔に６つ配置されている。また、絞り駆動リング２の外周縁部には、外周方向に突出した突起部２ｃが設けられている。
【００１０】
ベース部３は、シャッタ装置の土台となる部分であり、中央に不図示の撮影光学系の光束が通過する開口部を有し、不図示のレンズ鏡筒に対して取り付けられている。なお、ベース部３は、レンズ鏡筒のズーム動作に応じて移動してもよいし、移動しないものでもよく、光学系の構成により適宜選択可能である。なお、図１〜図４では、図を見やすくするために、ベース部３については外枠部分のみ示している。
【００１１】
絞り羽根４は、光束が通過する位置の開口径を変化させる虹彩絞りを形成する部材であり、同一形態のものが６枚設けられている。絞り羽根４は、軸４ａを中心として回転可能にベース部３に対して取り付けられている。また、絞り羽根４には、カムフォロア４ｂが設けられており、絞り駆動リング２のカム溝２ｂに係合している。
シャッタ羽根７は、光束が通過する開口を開閉する部材であり、２枚設けられている。なお、図１〜図４では、図を見やすくするためにシャッタ羽根７を１枚のみ示し、また、他の部材との区別を容易にするために破線で示している。シャッタ羽根７は、穴７ａを有し、この穴７ａを中心として回転可能なようにベース部３に取り付けられている。また、シャッタ羽根７は、カム溝７ｂを有している。シャッタ羽根７は、図１及び図３に示す開位置と、図２及び図４に示す閉位置との間を移動する。
【００１２】
駆動レバー１０は、シャッタ羽根７を駆動するときに回転して、シャッタ羽根７を開位置と閉位置との間で移動させる部材であり、軸１０ａを中心として回転可能なようにベース部３に取り付けられている。駆動レバー１０は、軸１０ａから離れたレバーの先端部分に軸１０ｂを有し、この軸１０ｂは、シャッタ羽根７のカム溝７ｂに係合している。また、軸１０ｂは、図１及び図３に示す状態では、絞り駆動リング２の突起部２ｃに当接している。この状態では、駆動レバー１０の回転が規制され、シャッタ羽根７が閉位置へ移動できない。駆動レバー１０を駆動してその状態を保持する機構は、ベース部３を挟んで軸１０ｂが設けられている側の反対側（以下、駆動機構側）に設けられている。
【００１３】
図５は、駆動レバー１０を駆動する機構を示す模式図である。
駆動レバー１０の駆動機構側には、先端にマグネット１０ｃが設けられている。またコイル１２が巻き付けられた鉄芯１１が設けられている。なお、コイル１２には、フレキシブル基板１３から通電が行われる。駆動レバー１０を駆動しないときには、鉄芯１１の端部１１ａ又は端部１１ｂに対して、マグネット１０ｃが磁力により吸着して、駆動レバー１０の位置が保持される。ただし、マグネット１０ｃの磁力は、シャッタ羽根７を駆動するために必要な磁力はあるが、衝撃が加わったりしたときにシャッタ羽根７の位置を保持するためには、不十分である。その反面、図５に示した駆動機構は、非常に小型化されており、シャッタ装置の小型化に有利な形態となっている。
駆動レバー１０を駆動するときには、コイル１２に通電して、マグネット１０ｃが吸着している側の鉄芯１１の端部（図５の状態では、端部１１ａ）の磁極をマグネット１０ｃの磁極と反発させるとともに、鉄芯１１の反対側の端部（図５の状態では、端部１１ｂ）磁極とマグネット１０ｃの磁極とを引き合わせることにより、駆動レバー１０が駆動される。よって、通電する方向（正負）を変えることにより、マグネット１０ｃが移動して、駆動レバー１０を任意の方向に回転させることができる。
【００１４】
次に、本実施形態のシャッタ装置を備えたカメラの動作を説明する。
本実施形態のシャッタ装置を備えたカメラは、不図示の液晶表示部を有しており、不図示の撮像素子により得られた像を静止画の撮影前の構図確認にも利用できるように表示する、いわゆるスルー画表示を行うことができる。したがって、カメラの電源がＯＮされてスルー画表示を行っている状態では、撮像素子へ被写体像を結ぶために、シャッタ羽根７は、図１及び図３に示す開位置になっている。このとき、絞り羽根４は、光学開放絞り径Ｄよりも大きな開口径を形成している。なお、光学開放絞り径は、開口径が変化しない不図示の固定絞りにより形成されている。
図６は、スルー画表示されている状態から、レリーズボタンが押されたときの動作を示すフローチャートである。
【００１５】
Ｓ１０では、不図示のレリーズボタンの半押しによりＯＮするスイッチＳ１がＯＮしているか否かを判断する。なお、本実施形態のカメラには、不図示のレリーズボタンが設けられている。このレリーズボタンは、２段押し込みタイプのボタンとなっており、１段目の半押しによりＯＮするスイッチＳ１と、２段目の全押しによりＯＮするスイッチＳ２とを有している。Ｓ１がＯＮすると、不図示のオートフォーカス機構によるオートフォーカス動作等が行われ、その直後に撮影が行われる（Ｓ２がＯＮされる）可能性が高く、Ｓ１がＯＦＦの場合には、その直後に撮影が行われる可能性は低くなる。Ｓ１がＯＦＦしている場合には、Ｓ２０へ進み、Ｓ１がＯＮの場合には、Ｓ４０へ進む。
【００１６】
Ｓ２０では、ギヤ１が回転して、絞り駆動リング２を回転させ、絞り駆動リング２が図１及び図３に示す位置（制限位置）に回転移動する。このとき、カム溝２ｂにカムフォロア４ｂが追従して移動し、６枚の絞り羽根４は、光学開放径Ｄより大きい開口径を形成する。このとき、絞り駆動リング２の突起部２ｃは、駆動レバー１０がシャッタ羽根７を閉位置に移動させる方向に回転移動するときに軸１０ｂが当接する位置にあり、シャッタ羽根７が閉位置へ移動することを制限している（Ｓ３０）。
【００１７】
Ｓ４０では、Ｓ１がＯＮされたことを受けて、ギヤ１が回転して、絞り駆動リング２を回転させ、カム溝２ｂにカムフォロア４ｂが追従して移動し、光学開放径Ｄ以下の開口径であって、カメラが設定した絞り値（Ｆ値）に対応する開口径となる位置まで６枚の絞り羽根４が移動する。ここで、本実施形態では、絞り羽根４が形成する開口径が、光学開放径Ｄ以下であれば、突起部２ｃは、駆動レバー１０の軸１０ｂが当接しない位置まで移動している。したがって、絞り羽根４が形成する開口径が光学開放径Ｄ以下となる位置（解除位置）に絞り駆動リング２が移動すれば、シャッタ羽根７は、閉位置へ移動することが可能であり、シャッタ羽根７の係止が解除される（Ｓ５０）。
なお、シャッタ羽根７の係止が解除されるときの絞り羽根が形成する開口径は、光学開放径Ｄと等しくするか、又は、絞り羽根が形成する開口径が光学開放径Ｄよりもわずかに小さいようにすることが望ましい。なぜなら、そのようにすることにより、絞り駆動リング２を大きく回転させる必要が無く、シャッタタイムラグを短くできるからである。
【００１８】
Ｓ６０では、不図示のレリーズボタンの全押しによりＯＮするスイッチＳ２がＯＮしているか否かを判断する。Ｓ２がＯＮしている場合には、Ｓ７０へ進み、Ｓ２がＯＦＦの場合には、Ｓ１０へ戻る。
Ｓ７０では、不図示の撮像素子から得られるデータを取得し、カメラが決めた露光時間となるように駆動レバー１０を回転させてシャッタ羽根７を閉位置に移動する。そして、必要に応じて得られたデータに画像処理等を行い、画像データを記録媒体等に記録する。
【００１９】
以上説明したように本実施形態では、Ｓ１＝ＯＦＦのときには、突起部２ｃと軸１０ｂとの関係によりシャッタ羽根７が閉位置へ移動しないようになっている。したがって、スルー画表示を行っているときに、例えば、衝撃がカメラに加わる等しても、シャッタ羽根７が閉位置に移動することがない。仮に、スルー画表示を行っているときに、シャッタ羽根７が閉位置に移動してしまうと、撮像素子に被写体光が到達せず、表示画面に被写体像を表示できなくなってしまうが、本実施形態では、そのような現象を防止できる。
また、本実施形態では、シャッタ羽根７の移動の制限を解除した状態では、絞り駆動リング２の突起部２ｃは、シャッタ羽根７の移動に対して負荷とならず、シャッタ羽根７を高速で移動させることができる。
さらに、本実施形態では、絞りを駆動するために必要な絞り駆動リング２にわずかな突起部２ｃを設けるだけで、シャッタ羽根７の移動を制限できるので、上述のように信頼性の高いシャッタ装置を、大型化することなく実現できる。
さらにまた、本実施形態では、シャッタ羽根７が動作する直前に動作する絞り羽根４を駆動する絞り駆動リング２によりシャッタ羽根７の移動を制限している。したがって、レリーズボタンが一気に押し込まれてＳ１とＳ２とが殆ど同時にＯＮした場合であっても、絞り羽根４の移動とシャッタ羽根７の移動制限の解除が同時に行われ、その後のシャッタ羽根７の閉位置への移動を連続した動作で行うことができる。
【００２０】
（変形形態）
以上説明した実施形態に限定されることなく、種々の変形や変更が可能であって、それらも本発明の均等の範囲内である。
（１）本実施形態において、シャッタ装置は、シャッタ羽根７の閉位置への移動を絞り駆動リング２により制限する例を示したが、これに限らず、例えば、シャッタ羽根の開位置への移動を制限してもよい。
【００２１】
（２）本実施形態において、シャッタ装置は、絞り駆動リング２が駆動レバー１０の回転を制限することにより、シャッタ羽根７の移動を制限する例を示したが、これに限らず、例えば、絞り羽根によりシャッタ羽根の移動を直接制限してもよい。
【００２２】
（３）本実施形態において、シャッタ装置は、絞り駆動リング２が駆動レバー１０の回転を制限することにより、シャッタ羽根７の移動を制限する例を示したが、これに限らず、例えば、撮影動作中のシャッタ羽根が動作する直前に動作するＡＦ機構に関する部材等、他の被駆動部材等によりシャッタ羽根の移動を制限してもよい。
【図面の簡単な説明】
【００２３】
【図１】本実施形態のシャッタ装置がシャッタ羽根の移動を制限し、シャッタ羽根が開位置にある状態を示す図である。
【図２】本実施形態のシャッタ装置がシャッタ羽根の移動の制限を解除し、シャッタ羽根が閉位置にある状態を示す図である。
【図３】本実施形態のシャッタ装置がシャッタ羽根の移動を制限し、シャッタ羽根が開位置にある状態を簡略化して示す図である。
【図４】本実施形態のシャッタ装置がシャッタ羽根の移動の制限を解除し、シャッタ羽根が閉位置にある状態を簡略化して示す図である。
【図５】駆動レバー１０を駆動する機構を示す模式図である。
【図６】スルー画表示されている状態から、レリーズボタンが押されたときの動作を示すフローチャートである。
【符号の説明】
【００２４】
１：ギヤ、２：絞り駆動リング、２ｃ：突起部、４：絞り羽根、７：シャッタ羽根、１０：駆動レバー、１０ｂ：軸
【図１】
2008051989.tif 000003
【図２】
2008051989.tif 000004
【図３】
2008051989.tif 000005
【図４】
2008051989.tif 000006
【図５】
2008051989.tif 000007
【図６】
2008051989.tif 000008